(57)【要約】【課題】モバイルフォンを利用した知能型緊急信号伝送システム及びその方法を提供すること。【解決手段】ユーザーが別途のキー操作を行わなくても登録音声が入力されるかを判断してユーザーが緊急状況におかれているという情報を第３者のモバイルフォンに伝送することができ、ユーザーのモバイルフォンに登録された多数の第３者のモバイルフォンに自動呼接続を行って緊急信号を伝送することができるため、緊急信号に対して第３者が速やかに認知できるようにし、ユーザーのモバイルフォンのスピーカとマイクの音量を現場状況に合わせて自動で調節することができ、ＧＰＳ方式または基地局位置算定方式または移動経路登録または現在位置登録のうち複数個以上の方式を利用して、より正確にユーザーの位置を算出して出動できるようにし、緊急状況のユーザーの近所に位置した第３者に助け求め信号を速やかに伝送できるようにして、効果的に緊急状況を克服することができるようにしたシステム及び方法。【選択図】なし
2013518501.tif 000002
【特許請求の範囲】
【請求項１】
既に設定された特定の音声データに対する音声認識を通じて緊急状況であるか否かを判断することができる音声認識Ｓ／Ｗが搭載されていて、緊急状況であると判断した時、緊急状況知らせ信号を予め登録された多数の電話番号を有するモバイルフォンに音声通話網を通じて呼接続の可否を判断しながら順次に呼接続を行い、呼接続がつながると組合せた信号を伝送するユーザーのモバイルフォンと、
前記ユーザーのモバイルフォンから緊急状況知らせ信号を受け付けて現場出動信号を発生させる警察庁のサーバまたはセキュリティ業者のサーバと、
前記ユーザーのモバイルフォンから緊急状況知らせ信号が印加された既登録の電話番号を有するモバイルフォンと、を備える
ことを特徴とするモバイルフォンを利用した知能型緊急信号伝送システム。
【請求項２】
前記ユーザーのモバイルフォンは、座標値で構成された位置情報を場所情報に変更し、
その場所情報を音声信号に変換するための位置／音声マッチングデータが保存されて音声通話網を通じた位置情報の伝送が可能である
請求項１に記載のモバイルフォンを利用した知能型緊急信号伝送システム。
【請求項３】
前記ユーザーのモバイルフォンの緊急状況知らせ信号は、緊急音声信号及び位置情報を含む
請求項１に記載のモバイルフォンを利用した知能型緊急信号伝送システム。
【請求項４】
前記緊急音声信号は、前記ユーザーのモバイルフォンを通じて緊急状況であると判断した時、録音された事件発生現場の音声データである
請求項３に記載のモバイルフォンを利用した知能型緊急信号伝送システム。
【請求項５】
前記ユーザーのモバイルフォンは、イヤマイク装置と通信するための近距離無線通信モジュールが内臓されていて、イヤマイク装置の内部には、スピーカの音量は最小に調節し、マイクの音量は最大に自動調節する音量調節部がさらに含まれた
請求項１に記載のモバイルフォンを利用した知能型緊急信号伝送システム。
【請求項６】
多数のユーザーの情報及び該当ユーザーが既登録した電話番号の情報を登録した状態で、前記モバイルフォンから緊急状況知らせ信号の印加を受けてデータ通信網に連携された警察庁のサーバまたはセキュリティ業者のサーバ、または、既登録の電話番号を有するモバイルフォンに該当ユーザーの情報及び緊急状況知らせ信号を伝送処理する緊急信号通報管理サーバがさらに含まれた
請求項１に記載のモバイルフォンを利用した知能型緊急信号伝送システム。
【請求項７】
前記ユーザーのモバイルフォンは、無線インターネット網を自動で活性化させ、緊急状況知らせ信号を緊急信号通報管理サーバへ伝送可能であるように構成された
請求項１または６のうちいずれか１項に記載のモバイルフォンを利用した知能型緊急信号伝送システム。
【請求項８】
前記ユーザーのモバイルフォンは、その内部に着信側の電話番号の登録及び音声入力モードの選択信号を発生するためのキー入力部と、緊急音声の入力及び登録状態、緊急入力モードの選択状態を表示する表示部と、アンテナを通じて移動通信網の基地局と無線通信を行って送／受信される信号を分離し、内部に無線インターネットインターフェースが別途に備えられていて、前記無線インターネットインターフェースは無線インターネットの接続のためのデーモンとしてソフトウェア的に無線インターネット網を通じて既に設定されたＵＲＬの無線インターネットサーバ（ＷＡＰ  ｓｅｒｖｅｒ）に接続されるようにするデュプレクサと、前記アンテナとデュプレクサを通じて相手側のモバイルフォンや有線電話端末機または移動通信交換機からの音声信号または文字情報の受信する受信部と、マイクロフォンから入力された音声信号を送信可能にフィルタリング及び増幅処理する送信部と、前記受信部を通じて受信する相手側からの音声信号を信号処理してスピーカを通じて出力されるようにし、前記マイクロフォンから入力された使用者の音声信号を信号処理して前記送信部に出力する音声処理部と、内部に音声認識Ｓ／Ｗが搭載された状態で、ビタビ検索や、その他の音声学的なベクトルの距離分析を通じて、既登録された使用者の特定の単語または文章と、入力された音声に対する比較／判断を通じて既登録音声と入力された音声が一致するか否かを判断する音声認識部と、緊急状況であるという制御部の制御信号が発生すると、メモリに既登録された緊急状況信号と位置情報を単一のデータパケットに組合せるためのデータ組合せ部と、前記送信部と接続されて組合せたデータパケットを前記無線データインターフェースを通じて既登録されたＵＲＬに自動伝送できるようにするデータ組合せ部と、緊急状況を認知するファクターである音声データを登録保存させ、緊急状況を示すデータを保存し、端末機に内臓されたＧＰＳ検索部を通じて端末機の現在位置情報を実時間で更新して保存し、順次呼接続を行うための多数のモバイルフォンの電話番号が保存されたメモリと、既登録の電話番号に呼接続を行い、その呼接続の可否によって登録順次ごとに自動発信を行う自動発信部と、マイクを通じて入力される緊急音声信号を伝送可能に録音するための録音処理部と、前記キー入力部のキー操作により使用者の緊急状況を自動で発生させる特定の音声データをメモリに保存し、前記マイクを駆動させ実時間で音声データの入力を受けて前記音声認識部から既登録された緊急状況音声データと比較して緊急状況であるか否かを判断し、緊急状況が発生したとき、緊急状況知らせ信号を既登録された電話番号の順番に従って自動発信して伝送するように制御する制御部と、から成る
請求項１に記載のモバイルフォンを利用した知能型緊急信号伝送システム。
【請求項９】
前記マイクとスピーカは、内部に近距離無線通信モジュールが内臓されたイヤマイクモジュールに構成され、前記ユーザーのモバイルフォンの内部には、イヤマイクモジュールに内臓された近距離無線通信モジュールと通信するためのさらに他の近距離無線通信モジュールがさらに含まれた
請求項８に記載のモバイルフォンを利用した知能型緊急信号伝送システム。
【請求項１０】
前記イヤマイクモジュールは、緊急状況であるか否かによってスピーカとマイクの音量を既設定値に自動調節するための音量調節部がさらに備えられたことを特徴とする請求項９に記載のモバイルフォンを利用した知能型緊急信号伝送システム。
【請求項１１】
位置情報を判断し、音声認識のためのＳ／Ｗが搭載されたユーザーのモバイルフォンが緊急状況信号発生用音声データの入力を受けて設定する第１過程と、
前記ユーザーのモバイルフォンに自動発信する多数の電話番号を順次登録する第２過程と、
前記ユーザーのモバイルフォンが周辺の音声データの入力を受ける第３過程と、
内部に搭載された音声認識Ｓ／Ｗを駆動させ、既登録の緊急状況信号発生用音声データとユーザーにより実時間で入力された音声データとを比較して一致するかを判断する第４過程と、
一致するとき、前記ユーザーのモバイルフォンが現位置を判断し、緊急状況発生信号とともに音声パケットを構成する第５過程と、
既登録された電話番号の順次ごとに呼接続を行う第６過程と、
呼接続がつながると緊急状況信号を既登録のモバイルフォンに伝送する第７過程と、を有する
ことを特徴とするモバイルフォンを利用した知能型緊急信号伝送方法。
【請求項１２】
前記第５過程は、緊急状況であると判断された時点から一定時間の間音声データを録音する過程がさらに含まれた
請求項１１に記載のモバイルフォンを利用した知能型緊急信号伝送方法。
【請求項１３】
ユーザーのモバイルフォンは、緊急状況であると判断されると、スピーカの音量を最低に自動調節し、マイクの音量を最高に自動調節する過程がさらに含まれた
請求項１２に記載のモバイルフォンを利用した知能型緊急信号伝送方法。
【請求項１４】
前記第１過程には、現在の位置情報をユーザーが直接登録するか、移動経路情報を予め登録する過程がさらに含まれ、
前記第５過程には、ユーザーが登録した現在の位置情報または移動経路情報を基地局の位置値に対応させて現在のユーザーのモバイルフォンの位置を判断する過程がさらに含まれる
請求項１１に記載のモバイルフォンを利用した知能型緊急信号伝送方法。
【請求項１５】
前記第１過程には、現在の位置情報をユーザーが直接登録するか、移動経路情報を予め登録する過程がさらに含まれ、
前記第５過程には、ユーザーが登録した現在の位置情報または移動経路情報を既ＧＰＳ座標値に対応させて、現在のユーザーのモバイルフォンの位置を判断する過程がさらに含まれる
請求項１１に記載のモバイルフォンを利用した知能型緊急信号伝送方法。
【請求項１６】
位置情報を判断し、音声認識のためのＳ／Ｗが搭載されたユーザーのモバイルフォンが緊急状況信号発生用音声データの入力を受けて設定する第１過程と、
前記ユーザーのモバイルフォンから緊急信号通報管理サーバにサービスの加入信号を発生させ、個人情報及び電話番号情報を送信する第２過程と、
前記緊急信号通報管理サーバが該当ユーザーのモバイルフォンに該当サーバのＵＲＬ値を伝送して自動接続機能を登録させる第３過程と、
前記ユーザーのモバイルフォンが緊急状況判断モードに切り替わる第４過程と、
緊急状況判断モードに切り替わると、その時点から前記ユーザーのモバイルフォンのマイクが活性化されるとともに音声データの入力を受ける第５過程と、
音声データが入力されると、ユーザーのモバイルフォンがその内部に搭載された音声認識Ｓ／Ｗを駆動させ、既登録緊急状況信号発生用音声データとユーザーにより実時間で入力された音声データとを比較して一致するかを判断する第６過程と、
一致するとき、前記ユーザーのモバイルフォンが現位置を判断し、緊急状況発生信号と組合せてデータパケットを構成する第７過程と、
前記ユーザーのモバイルフォンが自動で無線インターネット網を活性化させ、既登録されたＵＲＬの前記緊急信号通報管理サーバへ緊急状況発生信号及び位置情報を伝送する第８過程と、
前記緊急信号通報管理サーバが緊急状況発生信号及び位置情報の印加を受けてデータ通信網に連携された警察庁のサーバまたはセキュリティ業者のサーバへ該当ユーザーの情報及び緊急状況発生信号、位置情報を伝送する第９過程と、
前記緊急信号通報管理サーバに予めユーザーが登録した特定のモバイルフォンの電話番号が存在する場合には、前記緊急信号通報管理サーバが登録された順番ごとに呼接続信号を発生させる第１０過程と、
呼接続されたモバイルフォンに該当ユーザーの情報及び緊急状況発生信号、位置情報を伝送する第１１過程と、を有する
ことを特徴とするモバイルフォンを利用した知能型緊急信号伝送方法。
【請求項１７】
既に設定された特定の音声データに対する音声認識を通じて緊急状況であるか否かを判断することができる音声認識Ｓ／Ｗが搭載されていて、緊急状況であると判断した時、緊急状況知らせ信号を予め登録された多数の電話番号を有するモバイルフォンに音声通話網を通じて呼接続の可否を判断しながら順次に呼接続を行い、呼接続がつながると組合せた信号を伝送するユーザーのモバイルフォンと、
多数のユーザーの情報及び該当ユーザーが既登録した電話番号の情報を登録した状態で、前記移動通信端末機から緊急状況知らせ信号の印加を受けてデータ通信網に連携された移動通信サーバへモバイルフォンの電話番号を伝送し、その移動通信サーバから該当モバイルフォンが含まれた基地局の領域内に位置した多数のモバイルフォンの電話番号情報を受信して緊急状況にあるユーザーの情報及び緊急状況知らせ信号を伝送処理する緊急信号通報管理サーバと、
前記緊急信号通報管理サーバから緊急状況信号が発生したモバイルフォンの情報を受信し、該当ユーザーのモバイルフォンを中心として一定半径以内に位置した多数のモバイルフォンの電話番号情報を探索して緊急信号通報管理サーバへ伝送する移動通信サーバと、
前記緊急信号通報管理サーバから緊急状況知らせ信号が印加される既登録の電話番号を有するモバイルフォンと、を備える
ことを特徴とするモバイルフォンを利用した知能型緊急信号伝送システム。
【請求項１８】
緊急信号通報管理サーバがユーザーのモバイルフォンから緊急信号を受信する第１過程と、
緊急信号発生の位置情報を移動通信サーバへ伝送する第２過程と、
移動通信サーバが該当位置を基準として一定半径以内のモバイルフォンの電話番号を抽出する第３過程と、
近所に位置したモバイルフォンの電話番号を緊急信号通報管理サーバに伝送する第４過程と、
緊急信号通報管理サーバが近所に位置したモバイルフォンの電話番号に緊急状況が発生した位置情報と緊急信号及び助け求め信号を伝送する第５過程と、を有する
ことを特徴とするモバイルフォンを利用した知能型緊急信号伝送方法。
【請求項１９】
前記第３過程は、多数の基地局から伝送されるモバイルフォンの位置情報を通じて、近所のモバイルフォンに対する存在の有無及び電話番号情報を探索する
請求項１８に記載のモバイルフォンを利用した知能型緊急信号伝送方法。
【請求項２０】
前記第５過程の緊急状況が発生した位置情報と緊急信号及び助け求め信号は、文字メッセージや音声メッセージ、または写真情報を含むＭＭＳファイルである
請求項１８に記載のモバイルフォンを利用した知能型緊急信号伝送方法。
【発明の詳細な説明】
【技術分野】
【０００１】
本発明は、モバイルフォンを利用した知能型緊急信号伝送システム及びその方法に関するもので、さらに詳しくは、音声認識機能を備えたユーザーのモバイルフォンに使用者が特定の音声を予め登録し、緊急状況が発生した際に、登録された音声を認識することで、緊急状況であることをモバイルフォンが判断するようにするとともに、該当音声を録音して既登録された多数の着信先のモバイルフォンに伝送されるまで、順次に呼接続を行うことで、自動で特定のモバイルフォンに緊急状況情報及び該当位置情報を伝送するようにした、モバイルフォンを利用した知能型緊急信号伝送システム及びその方法に関する。
【背景技術】
【０００２】
周知のように、最近、情報通信技術の発達により、遠距離データ通信網を介して様々な分野に対する情報を少なくとも一つ以上のホストサーバを通じて多数の加入者側に実時間で提供する情報提供技術の開発が活発に進んでいる。
【０００３】
これを基に、最近は、加入者に正確な情報をより速やかに提供するためのキャッシュメモリ拡張技術などの周辺技術と加入者の好み及び志向などに、より便利に接近することのできる情報選別技術及び圧縮技術が開発中であり、これを通じた各種のコンテンツ及びそのソリューションの開発にも拍車をかけている実情である。
【０００４】
特に、資本主義が高度化することにより、私有財産に対する富の蓄積が非常に大事な個人の課題とされている現時点では、個人と家族の身元に対する保護サービスの必要性が必須として受け入られている。
【０００５】
実際に、貧富の差が広がり、失業率が増加することで、様々な強力犯罪率が増加しつつあり、拉致、強盗傷害事件が急増している。
【０００６】
従って、最近は、自分に強盗、拉致事件が発生した場合、直接相手を抑えることのできる携帯用の高電圧装置が紹介されている。しかし、このような携帯用の高電圧装置を利用して使用者が直接相手を抑えるためには、相当の勇気と瞬発力が必要であり、このような高電圧装置は、主にハンドバックなどに入れた状態で携帯するため、ナイフなどの凶器で脅されている状況でハンドバックの中に入れてある物を外部へ出すのは非常に難しいという問題がある。
【０００７】
また、このような強盗傷害、拉致事件の場合、相対的に力の弱い年寄りや、幼児、女性を対象として発生する場合が多いため、力の弱い使用者が相手を直接抑えることは非常に難しいという問題があった。
【０００８】
さらに、このような強盗傷害、拉致事件の場合、相手を抑えるのに失敗した場合には、かえって相手の感情を刺激して逆効果を引き起こす恐れが非常に高いという問題点があった。
【０００９】
従って、最近には、ＧＰＳ機能が内臓されていて、ボタンを直接操作して自分の位置及び自分のおかれた緊急状況を警察庁のサーバまたはセキュリティ業者のサーバなどの遠隔サーバへ自動で知らせるセキュリティフォンが登場した。しかし、このようなセキュリティフォンの場合にも、直接携帯電話を操作しなければならないため、同様にナイフなどの凶器で脅されている状況で携帯電話のホットキー（Ｈｏｔ  Ｋｅｙ）を操作して特定の情報を伝送することは容易ではないという問題点があった。
【００１０】
また、従来のセキュリティフォンは、緊急状況を警察庁のサーバまたはセキュリティ業者側に伝送するとはいうものの、緊急状況を警察庁のサーバまたはセキュリティ業者側のいずれかひとつのサーバや端末機側に伝送するため、通話が不可能な場合や、データの伝送が不可能な状況、例えば、呼接続がつながらない状況であると、緊急信号を伝送することができないという問題点があった。
【００１１】
さらに、従来のセキュリティフォンのホットキー操作により、警察庁の電話器またはセキュリティ業者側の電話器と呼接続がつながった場合には、着信者の警察庁の担当者またはセキュリティ業者担当者の音声がそのままセキュリティフォンのスピーカを通じて出力されるため、強盗や拉致犯も該当音声を聴取できるという問題点があった。
【００１２】
一方、従来のセキュリティフォンのホットキー操作により、警察庁の電話器またはセキュリティ業者側の電話器と呼接続された場合であっても、セキュリティフォンのマイクボリュームが低く調節されている場合には、きちんと現場の緊急な音声データを着信側へ伝送できないという問題点があった。
【００１３】
さらに、従来のセキュリティフォンを含んでいる全ての移動端末機は、該当緊急状況が発生した位置を把握するにおいて、３つの基地局を通じた三角法演算を通じて位置データを判断するか、ＧＰＳ衛星から座標情報を受信して位置情報を判断することができたが、基地局を通じた演算方式は、数百メートルの誤差が生じることがあり、ＧＰＳ方式を通じた位置把握方式は、基地局を通じた演算方式よりは正確に位置を把握することが可能であるが、建物の内部や車両、地下鉄などの位置では、ＧＰＳ衛星からの座標値の受信が不可能で、位置判断が不可能という問題点があった。
【００１４】
一方、従来のセキュリティフォンのホットキー操作により、警察庁の電話器またはセキュリティ業者側に緊急状況が通報されたとしても、出動要員との距離が遠い場合には、出動要員が現場に着く前に事故が起きる危険性が非常に高いという問題点があった。
【発明の概要】
【発明が解決しようとする課題】
【００１５】
本発明は、上記の従来技術の事情を踏まえてなされたもので、音声認識機能を備えたユーザーのモバイルフォンに使用者が特定の音声を予め登録し、緊急状況が発生したとき、登録された音声を認識することで、緊急状況であることをモバイルフォンが判断するようにするとともに、該当音声を録音して既登録された多数の着信先のモバイルフォンに伝送されるまで順次に呼接続を行うことで、自動で特定のモバイルフォンに緊急状況情報及び該当位置情報を伝送するようにした、モバイルフォンを利用した知能型緊急信号伝送システム及びその方法を提供することを課題とする。
【００１６】
本発明の他の目的は、音声認識機能を備えたユーザーのモバイルフォンが緊急状況に適するよう、緊急状況であると判断した時、マイク音量を最大に自動調節し、スピーカの音量は最小に自動調節することで、拉致犯や強盗などはスピーカの出力音響が分からないとともに、現場の音響は、効果的に入力可能であるようにした、モバイルフォンを利用した知能型緊急信号伝送システム及びその方法を提供することである。
【００１７】
本発明の他の目的は、緊急信号を自動通報することのできるモバイルフォンの位置判断に対して、ＧＰＳ衛星座標値と基地局の位置または使用者指定の移動経路情報、使用者指定の現在位置情報を複合的に活用して、各要素の短所を解消することで、正確な位置情報が抽出できるようにした、モバイルフォンを利用した知能型緊急信号伝送システム及びその方法を提供することである。
【００１８】
本発明の他の目的は、緊急信号が発生したモバイルフォンの位置を基準点として、一定半径内に位置した第３者のモバイルフォンに緊急信号発生の位置情報及び助け求め信号を伝送して周辺人らによる速やかな助けがなされるようにした、モバイルフォンを利用した知能型緊急信号伝送システム及びその方法を提供することである。
【課題を解決するための手段】
【００１９】
上記課題を達成すべく、本発明の好ましい実施例によると、既に設定された特定の音声データに対する音声認識を通じて緊急状況であるか否かを判断することができる音声認識Ｓ／Ｗが搭載されていて、緊急状況であると判断した時、緊急状況知らせ信号を予め登録された多数の電話番号を有するモバイルフォンに音声通話網を通じて呼接続の可否を判断しながら順次に呼接続を行い、呼接続がつながると組合せた信号を伝送するユーザーのモバイルフォンと、上記ユーザーのモバイルフォンから緊急状況知らせ信号を受け付けて現場出動信号を発生させる警察庁のサーバまたはセキュリティ業者のサーバと、上記ユーザーのモバイルフォンから緊急状況知らせ信号が印加された既登録の電話番号を有するモバイルフォンと、に構成されたことを特徴とするモバイルフォンを利用した知能型緊急信号伝送システムが提供される。
【００２０】
好ましくは、上記ユーザーのモバイルフォンは、座標値で構成された位置情報を場所情報に変更し、その場所情報を音声信号に変換するための位置／音声マッチングデータが保存されて音声通話網を通じた位置情報の伝送が可能であることを特徴とするモバイルフォンを利用した知能型緊急信号伝送システムが提供される。
【００２１】
好ましくは、上記ユーザーのモバイルフォンの緊急状況知らせ信号は、緊急音声信号及び位置情報を含むことを特徴とするモバイルフォンを利用した知能型緊急信号伝送システムが提供される。
【００２２】
好ましくは、上記緊急音声信号は、上記ユーザーのモバイルフォンを通じて緊急状況であると判断した時、録音された事件発生現場の音声データであることを特徴とするモバイルフォンを利用した知能型緊急信号伝送システムが提供される。
【００２３】
好ましくは、上記ユーザーのモバイルフォンは、イヤマイク装置と通信するための近距離無線通信モジュールが内臓されていて、イヤマイク装置の内部には、スピーカの音量は最小に調節し、マイクの音量は最大に自動調節する音量調節部がさらに含まれたことを特徴とするモバイルフォンを利用した知能型緊急信号伝送システムが提供される。
【００２４】
好ましくは、多数のユーザーの情報及び該当ユーザーが既登録した電話番号情報を登録した状態で、上記モバイルフォンから緊急状況知らせ信号の印加を受けてデータ通信網に連携された警察庁のサーバまたはセキュリティ業者のサーバまたは、既登録の電話番号を有するモバイルフォンに該当ユーザーの情報及び緊急状況知らせ信号を伝送処理する緊急信号通報管理サーバがさらに含まれたことを特徴とするモバイルフォンを利用した知能型緊急信号伝送システムが提供される。
【００２５】
好ましくは、上記ユーザーのモバイルフォンは、無線インターネット網を自動で活性化させ、緊急状況知らせ信号を緊急信号通報管理サーバに伝送可能に構成されたことを特徴とするモバイルフォンを利用した知能型緊急信号伝送システムが提供される。
【００２６】
好ましくは、上記ユーザーのモバイルフォンは、その内部に着信側の電話番号登録及び音声入力モード選択信号を発生するためのキー入力部と、緊急音声入力及び登録状態、緊急入力モードの選択状態を表示する表示部と、アンテナを通じて移動通信網の基地局と無線通信を行って送／受信される信号を分離し、内部に無線インターネットインターフェースが別途に備えられていて、上記無線インターネットインターフェースは、無線インターネット接続のためのデーモンとしてソフトウェア的に無線インターネット網を通じて既に設定されたＵＲＬの無線インターネットサーバ（ＷＡＰ  ｓｅｒｖｅｒ）に接続されるようにするデュプレクサと、上記アンテナとデュプレクサを通じて相手側のモバイルフォンや有線電話端末機、または移動通信交換機からの音声信号または文字情報の受信する受信部と、マイクロフォンから入力された音声信号を送信可能にフィルタリング及び増幅処理する送信部と、上記受信部を通じて受信して相手側からの音声信号を信号処理してスピーカを通じて出力されるようにし、上記マイクロフォンから入力された使用者の音声信号を信号処理して上記送信部に出力する音声処理部と、内部に音声認識Ｓ／Ｗが搭載された状態で、ビタビ検索や、その他の音声学的なベクトルの距離分析を通じて既登録された使用者の特定の単語または文章と、入力された音声に対する比較／判断を通じて既登録音声と入力された音声が一致するか否かを判断する音声認識部と、緊急状況であるという制御部の制御信号が発生すると、メモリに既登録された緊急状況信号と位置情報を単一のデータパケットに組合せるためのデータ組合せ部と、上記送信部と接続されて組合せたデータパケットを上記無線データインターフェースを通じて既登録されたＵＲＬへ自動伝送できるようにするデータ組合せ部と、緊急状況を認知するファクターである音声データを登録保存させ、緊急状況を示すデータを保存し、端末機に内臓されたＧＰＳ検索部を通じて端末機の現在位置情報を実時間で更新して保存し、順次呼接続を行うための多数のモバイルフォンの電話番号が保存されたメモリと、既登録の電話番号に呼接続を行い、その呼接続の可否によって登録順次ごとに自動発信を行う自動発信部と、マイクを通じて入力される緊急音声信号を伝送可能に録音するための録音処理部と、上記キー入力部のキー操作により使用者の緊急状況を自動で発生させる特定の音声データをメモリに保存し、上記マイクを駆動させ実時間で音声データの入力を受けて、上記音声認識部から既登録された緊急状況音声データと比較して緊急状況であるか否かを判断し、緊急状況が発生したとき、緊急状況知らせ信号を既登録された電話番号の順番に従って自動発信して伝送するように制御する制御部と、からなることを特徴とするモバイルフォンを利用した知能型緊急信号伝送システムが提供される。
【００２７】
好ましくは、上記マイクとスピーカは、内部に近距離無線通信モジュールが内臓されたイヤマイクモジュールに構成され、上記ユーザーのモバイルフォンの内部には、イヤマイクモジュールに内臓された近距離無線通信モジュールと通信するためのさらに他の近距離無線通信モジュールがさらに含まれたことを特徴とするモバイルフォンを利用した知能型緊急信号伝送システムが提供される。
【００２８】
好ましくは、上記イヤマイクモジュールは、緊急状況であるか否かによってスピーカとマイクの音量を既設定値に自動調節するための音量調節部がさらに備えられたことを特徴とするモバイルフォンを利用した知能型緊急信号伝送システムが提供される。
【００２９】
一方、本発明は、位置情報を判断し、音声認識のためのＳ／Ｗが搭載されたユーザーのモバイルフォンが緊急状況信号発生用音声データの入力を受けて設定する第１過程と、上記ユーザーのモバイルフォンに自動発信する多数の電話番号を順次登録する第２過程と、上記ユーザーのモバイルフォンが周辺音声データの入力を受ける第３過程と、内部に搭載された音声認識Ｓ／Ｗを駆動させ、既登録緊急状況信号発生用音声データとユーザーにより実時間で入力された音声データとを比較して一致するかを判断する第４過程と、一致するとき上記ユーザーのモバイルフォンが現位置を判断し、緊急状況発生信号とともに音声パケットを構成する第５過程と、既登録された電話番号順次ごとに呼接続を行う第６過程と、呼接続がつながると緊急状況信号を既登録のモバイルフォンに伝送する第７過程と、を含んでなることを特徴とするモバイルフォンを利用した知能型緊急信号伝送方法も提供する。
【００３０】
好ましくは、上記第５過程は、緊急状況であると判断された時点から一定時間の間音声データを録音する過程がさらに含まれたことを特徴とするモバイルフォンを利用した知能型緊急信号伝送方法が提供される。
【００３１】
好ましくは、ユーザーのモバイルフォンは、緊急状況であると判断されると、スピーカの音量を最低に自動調節し、マイクの音量を最高に自動調節する過程がさらに含まれたことを特徴とするモバイルフォンを利用した知能型緊急信号伝送方法が提供される。
【００３２】
好ましくは、上記第１過程には、現在の位置情報をユーザーが直接登録するか、移動経路情報を予め登録する過程がさらに含まれ、上記第５過程には、ユーザーが登録した現在の位置情報または移動経路情報を基地局の位置値に対応させて現在ユーザーのモバイルフォンの位置を判断する過程がさらに含まれることを特徴とするモバイルフォンを利用した知能型緊急信号伝送方法が提供される。
【００３３】
好ましくは、上記第１過程には、現在の位置情報をユーザーが直接登録するか、移動経路情報を予め登録する過程がさらに含まれ、上記第５過程には、ユーザーが登録した現在の位置情報または移動経路情報を既ＧＰＳ座標値に対応させて現在ユーザーのモバイルフォンの位置を判断する過程がさらに含まれることを特徴とするモバイルフォンを利用した知能型緊急信号伝送方法が提供される。
【００３４】
一方、本発明は、位置情報を判断し、音声認識のためのＳ／Ｗが搭載されたユーザーのモバイルフォンが緊急状況信号発生用の音声データの入力を受けて設定する第１過程と、上記ユーザーのモバイルフォンから緊急信号通報管理サーバにサービス加入信号を発生させ、個人情報及び電話番号情報を送信する第２過程と、上記緊急信号通報管理サーバが該当ユーザーのモバイルフォンに該当サーバのＵＲＬ値を伝送して自動接続機能を登録させる第３過程と、上記ユーザーのモバイルフォンが緊急状況判断モードに切り替わる第４過程と、緊急状況判断モードに切り替わると、その時点から上記ユーザーのモバイルフォンのマイクが活性化されるとともに音声データの入力を受ける第５過程と、音声データが入力されると、ユーザーのモバイルフォンがその内部に搭載された音声認識Ｓ／Ｗを駆動させ既登録緊急状況信号発生用音声データとユーザーにより実時間で入力された音声データとを比較して一致するかを判断する第６過程と、一致するとき、上記ユーザーのモバイルフォンが現位置を判断し、緊急状況発生信号と組合せてデータパケットを構成する第７過程と、上記ユーザーのモバイルフォンが自動で無線インターネット網を活性化させ、既登録されたＵＲＬの上記緊急信号通報管理サーバへ緊急状況発生信号及び位置情報を伝送する第８過程と、上記緊急信号通報管理サーバが緊急状況発生信号及び位置情報の印加を受けてデータ通信網に連携された警察庁のサーバまたはセキュリティ業者のサーバへ該当ユーザーの情報及び緊急状況発生信号、位置情報を伝送する第９過程と、上記緊急信号通報管理サーバに予めユーザーが登録した特定のモバイルフォンの電話番号が存在する場合には、上記緊急信号通報管理サーバが登録された順番ごとに呼接続信号を発生させる第１０過程と、呼接続がつながったモバイルフォンに該当ユーザーの情報及び緊急状況発生信号、位置情報を伝送する第１１過程と、からなることを特徴とするモバイルフォンを利用した知能型緊急信号伝送方法も提供する。
【００３５】
一方、本発明は、既に設定された特定の音声データに対する音声認識を通じて緊急状況であるか否かを判断することができる音声認識Ｓ／Ｗが搭載されていて、緊急状況であると判断した時、緊急状況知らせ信号を予め登録された多数の電話番号を有するモバイルフォンに音声通話網を通じて呼接続の可否を判断しながら順次に呼接続を行い、呼接続がつながると組合せた信号を伝送するユーザーのモバイルフォンと、多数のユーザーの情報及び該当ユーザーが既登録した電話番号の情報を登録した状態で、上記移動通信端末機から緊急状況知らせ信号の印加を受けてデータ通信網に連携された移動通信サーバへモバイルフォンの電話番号を伝送し、その移動通信サーバから該当モバイルフォンが含まれた基地局の領域内に位置した多数のモバイルフォンの電話番号情報を受信して緊急状況にあるユーザーの情報及び緊急状況知らせ信号を伝送処理する緊急信号通報管理サーバと、上記緊急信号通報管理サーバから緊急状況信号が発生したモバイルフォンの情報を受信し、該当ユーザーのモバイルフォンを中心として一定半径以内に位置した多数のモバイルフォンの電話番号情報を探索して緊急信号通報管理サーバに伝送する移動通信サーバと、上記緊急信号通報管理サーバから緊急状況知らせ信号が印加される既登録の電話番号を有するモバイルフォンと、に構成されたことを特徴とするモバイルフォンを利用した知能型緊急信号伝送システムも提供する。
【００３６】
一方、本発明は、緊急信号通報管理サーバがユーザーのモバイルフォンから緊急信号を受信する第１過程と、緊急信号発生の位置情報を移動通信サーバへ伝送する第２過程と、移動通信サーバが該当位置を基準として一定半径以内のモバイルフォンの電話番号を抽出する第３過程と、近所に位置したモバイルフォンの電話番号を緊急信号通報管理サーバに伝送する第４過程と、緊急信号通報管理サーバが近所に位置したモバイルフォンの電話番号に緊急状況が発生した位置情報と緊急信号及び助け求め信号を伝送する第５過程と、からなることを特徴とするモバイルフォンを利用した知能型緊急信号伝送方法も提供する。
【００３７】
好ましくは、上記第３過程は、多数の基地局から伝送を受けるモバイルフォンの位置情報を通じて、近所のモバイルフォンに対する存在の有無及び電話番号の情報を探索することを特徴とするモバイルフォンを利用した知能型緊急信号伝送方法が提供される。
【００３８】
好ましくは、上記第５過程の緊急状況が発生した位置情報と緊急信号及び助け求め信号は、文字メッセージや音声メッセージまたは写真情報を含むＭＭＳファイルであることを特徴とするモバイルフォンを利用した知能型緊急信号伝送方法が提供される。
【発明の効果】
【００３９】
本発明によるモバイルフォンを利用した知能型緊急信号伝送システム及びその方法は、ユーザーが別途のキー操作を行わなくても登録音声が入力されるかを判断してユーザーが緊急状況におかれているという情報を第３者のモバイルフォンに伝送することができ、ユーザーのモバイルフォンに登録された多数の第３者モバイルフォンに自動で呼接続を行って緊急信号を伝送することができるため、緊急信号に対して第３者が速やかに認知できるようにし、ユーザーモバイルフォンのスピーカとマイクの音量を現場状況に合わせて自動で調節することができ、ＧＰＳ方式または基地局位置算定方式または移動経路登録または現在位置登録のうち複数以上の方式を用いて、より正確にユーザーの位置を算出して出動できるようにし、緊急状況のユーザーの近所に位置した第３者に助けを求める信号を速やかに伝送できるようにして、効果的に緊急状況を克服するようにした利点がある。
【図面の簡単な説明】
【００４０】
【図１】本発明の第１実施例によるモバイルフォンを利用した知能型緊急信号伝送システムの概略的な構成を図示した模式図
【図２】本発明の第１実施例によるモバイルフォンを利用した知能型緊急信号伝送システムのデータの流れを概略的に図示した流れ図
【図３】本発明の第１実施例によるモバイルフォンを利用した知能型緊急信号伝送システムに含まれたモバイルフォンの構成を図示したブロック構成図
【図４】本発明の第１実施例によるモバイルフォンを利用した知能型緊急信号伝送システムに含まれた緊急信号通報管理サーバの構成を図示したブロック構成図
【図５ａ】本発明の第１実施例によるモバイルフォンを利用した知能型緊急信号伝送システムの信号流れを図示したフローチャート
【図５ｂ】本発明の第１実施例によるモバイルフォンを利用した知能型緊急信号伝送システムの信号流れを図示したフローチャート
【図５ｃ】本発明の第１実施例によるモバイルフォンを利用した知能型緊急信号伝送システムの信号流れを図示したフローチャート
【図６】本発明の第２実施例によるモバイルフォンを利用した知能型緊急信号伝送システムの多重位置判断のための構成を示した説明図
【図７】本発明の第２実施例によるモバイルフォンを利用した知能型緊急信号伝送システムの多重位置判断状態を示した説明図
【図８】本発明の第３実施例によるモバイルフォンを利用した知能型緊急信号伝送システムを通じて近所のモバイルフォンに緊急信号を伝送する状態を示した説明図
【図９】本発明の第３実施例によるモバイルフォンを利用した知能型緊急信号伝送システムの信号の流れを図示したフローチャート
【発明を実施するための形態】
【００４１】
以下、本発明の第１実施例によるモバイルフォンを利用した知能型緊急信号伝送システムについて図面を参照して詳しく説明する。
【００４２】
図１は、本発明の第１実施例によるモバイルフォンを利用した知能型緊急信号伝送システムの概略的な構成を図示した模式図である。
【００４３】
これを参照すると、本発明の第１実施例によるモバイルフォンを利用した知能型緊急信号伝送システムは、音声認識機能を備えたユーザーのモバイルフォンに使用者が特定の音声を予め登録し、緊急状況が発生したとき、登録された音声を認識することで、緊急状況であることをモバイルフォンが判断するようにするとともに、該当音声を録音して既登録された多数の着信先のモバイルフォンに伝送されるまで、順次に呼接続を行うことで、自動で特定のモバイルフォンに緊急状況情報及び該当位置情報を伝送するようにしたシステムである。
【００４４】
また、本発明は、音声認識機能を備えたユーザーのモバイルフォンが緊急状況に適するように、緊急状況であると判断した時、マイクの音量を最大に自動調節し、スピーカの音量は最小に自動調節することで、拉致犯や強盗などはスピーカの出力音響が分からないようにしつつ、現場の音響は効果的に入力できるようにしたシステムである。
【００４５】
即ち、本発明の第１実施例によるモバイルフォンを利用した知能型緊急信号伝送システムは、ユーザーが強盗や拉致、危険状況などの緊急状況におかれた場合、自動で該当緊急状況が発生しているという信号を特定の着信者のモバイルフォンに伝送して出動や助けを求めるようにしたシステムである。
【００４６】
このため、本発明の第１実施例によるモバイルフォンを利用した知能型緊急信号伝送システムは、緊急状況発生信号を伝送する方式として大きく２つの方式を例示する。
【００４７】
先ずは、ユーザーのモバイルフォンＡ１から音声通話網を通じて警察署サーバＰＳに付加されたモバイルフォン（未図示）や特定の電話番号のモバイルフォンＢ１〜Ｂｎに緊急信号及び位置情報を伝送する方式であり、次は、ユーザーのモバイルフォンＡ１からデータ通信網を介して緊急信号通報管理サーバＥＳＭＳへ緊急信号及び位置情報を伝送し、その緊急信号通報管理サーバＥＳＭＳから予め該当ユーザーが登録した着信先端末機に緊急信号及び位置情報を伝送する方式である。
【００４８】
いずれも緊急信号を伝送するための手段に過ぎないため、本発明の第１実施例によるモバイルフォンを利用した知能型緊急信号伝送システムは、どの方式を使用しても構わず、以下、両方式について順にその構成を説明する。
【００４９】
本発明の第１実施例によるモバイルフォンを利用した知能型緊急信号伝送システムは、緊急信号を伝送するためのユーザーのモバイルフォンＡ１が構成され、そのユーザーのモバイルフォンＡ１は、既に設定された特定の音声データに対する音声認識を通じて緊急状況であるか否かを判断することができる音声認識Ｓ／Ｗが搭載されていて、緊急状況であると判断した時、緊急状況知らせ信号を予め登録された多数の電話番号を有するモバイルフォンに音声通話網を通じて呼接続の可否を判断しながら順次に呼接続を行い、呼接続がつながると組合せた信号を伝送するモバイルフォンである。
【００５０】
また、本発明の第１実施例によるモバイルフォンを利用した知能型緊急信号伝送システムには、上記ユーザーのモバイルフォンＡ１から緊急状況知らせ信号を受け付けて現場出動信号を発生させる警察庁のサーバＰＳまたはセキュリティ業者のサーバＳＳが構成される。
【００５１】
この際、上記ユーザーのモバイルフォンＡ１から警察庁のサーバＰＳまたはセキュリティ業者のサーバＳＳへの緊急状況知らせ信号の伝送は、音声通話網を通じて行われるため、上記ユーザーのモバイルフォンＡ１は、警察庁のサーバＰＳまたはセキュリティ業者のサーバＳＳへと呼接続を行い、呼接続された状態で緊急状況知らせ信号を伝送するように構成されている。
【００５２】
上記ユーザーのモバイルフォンＡ１には、警察庁のサーバＰＳまたはセキュリティー業者サーバＳＳに付加された有線の電話器またはモバイルフォンの電話番号が予め登録されていて、警察庁のサーバＰＳまたはセキュリティ業者のサーバＳＳという名称よりは電話端末機という表現が適切ではあるが、警察庁のサーバＰＳまたはセキュリティ業者のサーバＳＳと称したのは、無線インターネット網を通じて緊急状況知らせ信号を伝送するシステム構成を説明するための名称であることを予め明らかにする。
【００５３】
一方、本発明の第１実施例によるモバイルフォンを利用した知能型緊急信号伝送システムには、上記ユーザーのモバイルフォンＡ１から緊急状況知らせ信号が印加される既登録の電話番号を有するモバイルフォンＢ１〜Ｂｎが提供され、もし既登録の電話番号を有するモバイルフォンＢ１〜Ｂｎが警察庁やセキュリティ業者担当者のモバイルフォンであれば、上記警察庁のサーバＰＳまたはセキュリティ業者のサーバＳＳは本実施例から省略できる。
【００５４】
従って、本発明の第１実施例によるモバイルフォンを利用した知能型緊急信号伝送システムは、上記ユーザーのモバイルフォンＡ１がユーザーの音声入力を自動で予め保存された特定の音声データと比較することで、緊急状況が発生したか否かを判断し、緊急状況が発生したと判断されると、自動で予め登録されたモバイルフォンＢ１〜Ｂｎに呼接続信号を発生させ、呼接続がつながると緊急状況知らせ信号を伝送するようにする。
【００５５】
もし、上記ユーザーのモバイルフォンＡ１が既登録の電話番号を有するモバイルフォンＢ１〜Ｂｎへの呼接続を行ったが、呼接続がつながらない場合は、次の順番に登録されたさらに他の電話番号に呼接続を行い、呼接続がつながると緊急状況知らせ信号を伝送するようにする。
【００５６】
この際、上記ユーザーのモバイルフォンＡ１から伝送される緊急状況知らせ信号は、緊急音声信号及び位置情報を含んでいるため、上記緊急音声信号は、上記ユーザーのモバイルフォンＡ１を通じて緊急状況であると判断した場合、録音された事件発生現場の音声データとなる。
【００５７】
即ち、ユーザーが“助けてください”または“止めてください！”などの特定の音声データを緊急状況発生用として上記ユーザーのモバイルフォンＡ１に登録した状態であれば、“助けてください”または“止めてください！”などの特定の音声データが入力されると、上記ユーザーのモバイルフォンＡ１は緊急状況であると判断し、一定時間の間、現場の音声データを録音して緊急音声信号を作成し、現在の位置データとマッチングされた音声信号（例えば、緊急信号発生位置は江南駅２番出口の近所です。）を組合せて既登録の有線の電話器またはモバイルフォンＢ１〜Ｂｎへ伝送して、第３者がユーザーの緊急状況を認知するようにする。
【００５８】
特に、幼児や身体の不自由な人、またはアルツハイマーのある年寄りの場合には、保護者に速やかに該当ユーザーの位置情報を通報することができるため、保護者が後の行動を速やかにとることができる。
【００５９】
従って、本発明の第１実施例によるモバイルフォンを利用した知能型緊急信号伝送システムに含まれたユーザーのモバイルフォンＡ１には、音声認識Ｓ／Ｗが搭載されていて、音声認識Ｓ／Ｗは既に公知のＳ／Ｗであって、通常のビタビ検索アルゴリズムや単語及び文法辞書が搭載されているため、入力された音声に対して音声認識を行うが、本発明では、ユーザーが直接話者となって予め入力した音声に対して比較分析した音声認識Ｓ／Ｗであるため、より簡単な音声認識Ｓ／Ｗである。即ち、全ての音声に対して正確な認識を必要とするのではなく、予め入力した特定の単語の音声と入力された音声を比較して一致するか否かのみ判断すれば良いためであり、音声認識Ｓ／Ｗ自体については本発明の要旨を外れるため、これ以上詳しい説明は省略する。
【００６０】
さらに、上記ユーザーのモバイルフォンＡ１は、座標値で構成された位置情報を場所情報に変更し、その場所情報を音声信号に変換するための位置／音声マッチングデータが保存されて音声通話網を通じた位置情報の伝送が可能であるよう構成される。
【００６１】
また、本発明の第１実施例によるモバイルフォンを利用した知能型緊急信号伝送システムに含まれたユーザーのモバイルフォンＡ１は、イヤマイク装置と通信するための近距離無線通信モジュールが内臓されていて、イヤマイク装置の内部には、スピーカの音量は最小に調節し、マイクの音量は最大に自動調節する音量調節部がさらに含まれるため、これについて詳しく後述する。
【００６２】
本発明の第１実施例によるモバイルフォンを利用した知能型緊急信号伝送システムのさらに他の方式は、無線インターネット網、即ち、無線データ通信網を通じて緊急状況知らせ信号を上記警察庁のサーバＰＳまたはセキュリティ業者のサーバＳＳへ伝送する構成について説明する。
【００６３】
この場合には、緊急状況に関連した音声データをファイルの形に変換しなければならないが、位置情報を音声データに変換する必要はない。但し、特定のＵＲＬ値を有するサーバへ無線データを伝送するために、自動で無線インターネットを活性化させる構成がさらに必要である。
【００６４】
さらに、本発明の第１実施例によるモバイルフォンを利用した知能型緊急信号伝送システムには、多数のユーザーの情報及び該当ユーザーが既登録した電話番号情報を登録した状態で、上記ユーザーのモバイルフォンＡ１から緊急状況知らせ信号の印加を受けてデータ通信網に連携された上記警察庁のサーバＰＳまたはセキュリティ業者のサーバＳＳ、または、既登録の電話番号を有するモバイルフォンＢ１〜Ｂｎに該当ユーザーの情報及び緊急状況知らせ信号を伝送処理する緊急信号通報管理サーバＥＳＭＳがさらに含まれる。
【００６５】
即ち、本発明の第１実施例によるモバイルフォンを利用した知能型緊急信号伝送システムに含まれた上記ユーザーのモバイルフォンＡ１の内部には、特定の遠隔サーバの緊急信号通報管理サーバＥＳＭＳのＵＲＬが予め登録されていて、緊急信号が発生したとき、自動で緊急状況であることを示す信号と該当ユーザーの位置情報データとを、上記緊急信号通報管理サーバＥＳＭＳへ伝送するように設定されている。
【００６６】
このために、上記ユーザーのモバイルフォンＡ１は、無線インターネット網を自動で活性化させ、緊急状況知らせ信号を緊急信号通報管理サーバＥＳＭＳへ伝送可能であるよう構成されている。
【００６７】
一方、上記緊急信号通報管理サーバＥＳＭＳは、加入者の写真情報を共に保存していて、緊急信号を警察署またはセキュリティ業者または第３者のモバイルフォンＢ１〜Ｂｎへ伝送するとき、ユーザーの写真情報まで一緒に伝送することで、出動要員や助けるために現場へ向かった第３者がユーザーをすぐ見分けることができるようにする。
【００６８】
図２は、本発明の第１実施例によるモバイルフォンを利用した知能型緊急信号伝送システムのデータの流れを概略的に図示した流れ図である。
【００６９】
これを参照すると、図２においても本発明の第１実施例によるモバイルフォンを利用した知能型緊急信号伝送システムを通じて音声通話網にて緊急状況知らせ信号を伝送するデータの流れと、データ通信網を通じて緊急状況知らせ信号を伝送するデータの流れを分けて説明する。
【００７０】
先ず、音声通話網にて緊急状況知らせ信号を伝送するデータの流れについて説明すると、ユーザーは、上記ユーザーのモバイルフォンＡ１を通じて“助けてください”または“止めてください！”などの特定の音声データを緊急状況発生用として登録する。
【００７１】
そして、着信者の端末機、即ち、既登録の電話番号を有するモバイルフォンＢ１〜Ｂｎの電話番号を呼接続の対象として登録する。
【００７２】
その状態で、“助けてください”または“止めてください！”などの特定の音声データが入力されると、上記ユーザーのモバイルフォンＡ１は、音声認識を通じて入力された該当音声データが既登録の音声データであるかを比較して緊急状況であるか否かを判断する。
【００７３】
緊急状況であると判断された場合であれば、一定時間の間、現場の音声データを録音して緊急音声信号を作成し、現在の位置データとマッチングされた音声信号（例えば、緊急信号発生位置は江南駅２番出口の近所です。）を組合せて緊急状況知らせ信号を作成する。
【００７４】
そして、予め登録された有線の電話器またはモバイルフォンＢ１〜Ｂｎに呼接続を行い、呼接続がつながると、その緊急状況知らせ信号を伝送して、第３者がユーザーの緊急状況を認知するようにする。
【００７５】
この際、上記ユーザーのモバイルフォンＡ１が既登録の電話番号を有するモバイルフォンＢ１〜Ｂｎへの呼接続を行ったが、呼接続が繋がらなかった場合は、次の順番に登録されたさらに他の電話番号に呼接続を行い、呼接続が繋がると、緊急状況知らせ信号を伝送するようにする。
【００７６】
一方、データ通信網を通じて緊急状況知らせ信号を伝送するデータの流れを説明すると、上記ユーザーのモバイルフォンＡ１の内部に特定の遠隔サーバの緊急信号通報管理サーバＥＳＭＳのＵＲＬが既に登録されていて、緊急信号発生したとき、自動で緊急状況信号を遠隔の緊急信号通報管理サーバＥＳＭＳに発生させる。
【００７７】
また、常時、このようなユーザーのモバイルフォンＡ１が緊急信号判断モードに設定されていると、過度なバッテリーの消耗が発生し、危険状況が主に夜間に発生するという点を踏まえると、普段は一般モードに設定されているようにし、退勤の際や夜間移動の際に緊急信号判断モードに予めユーザーが設定するようにすることが好ましい。これは、サーバの構成が必要ない音声通話網を通じた緊急状況知らせ信号を伝送する方式でも同様である。
【００７８】
従って、ユーザーが緊急状況信号発生用音声をモバイルフォンＡ１に登録した状態で、緊急信号判断モードに切り替えると、その時点から上記モバイルフォンＡ１はマイクが活性化されるとともに、音声データが入力される。
【００７９】
音声データが入力されると、モバイルフォンＡ１は、その内部に搭載された音声認識Ｓ／Ｗを駆動させ、既登録の緊急状況信号発生用音声データと入力された音声データとを比較して一致するかを判断し、一致するとき、上記モバイルフォンＡ１は現位置をＧＰＳ方式にて判断し、緊急状況発生信号と組合せてデータパケットを構成する。
【００８０】
そして、上記モバイルフォンＡ１は、自動で無線インターネット網を活性化させ、既登録されたＵＲＬの上記緊急信号通報管理サーバＥＳＭＳへ緊急状況発生信号及び位置情報を伝送する。
【００８１】
そうすると、上記緊急信号通報管理サーバＥＳＭＳは、ユーザーのモバイルフォンＡ１から緊急状況発生信号及び位置情報の印加を受けてデータ通信網に連携された警察庁のサーバＰＳまたはセキュリティ業者のサーバＳＳに該当ユーザーの情報及び緊急状況発生信号、位置情報を伝送することで、現場に出動できるようにする。また、上記緊急信号通報管理サーバＥＳＭＳは、ユーザーが既登録した特定の電話番号のモバイルフォンＢ１〜Ｂｎに該当ユーザーの情報及び緊急状況発生信号、位置情報を伝送することで、該当ユーザーが危険におかれていることを実時間で知らせるようにする。
【００８２】
この際、上記緊急信号通報管理サーバＥＳＭＳは、既登録の電話番号を有するモバイルフォンＢ１〜Ｂｎへの呼接続を行ったが、呼接続が行われない場合は、次の順番に登録されたさらに他の電話番号へ呼接続を行い、呼接続がつながると、緊急状況知らせ信号を伝送するようにする。
【００８３】
図３は、本発明の第１実施例によるモバイルフォンを利用した知能型緊急信号伝送システムに含まれたモバイルフォンの構成を図示したブロック構成図である。
【００８４】
これを参照すると、本発明の第１実施例によるモバイルフォンを利用した知能型緊急信号伝送システムに含まれたユーザーのモバイルフォンＡ１の構成としては、音声通話網を通じた緊急信号伝送方式と、データ通信網を通じた緊急信号伝送方式のいずれにも該当する構成を説明するため、各方式によっては一部不要な構成も全て含ませて説明することを明らかにする。
【００８５】
本発明の第１実施例によるモバイルフォンを利用した知能型緊急信号伝送システムに含まれたユーザーのモバイルフォンＡ１は、その内部に、キー入力部２０、表示部２２、アンテナ２４、自動発信部２５、デュプレクサ２６、受信部２８、送信部３０、音声処理部３２、近距離無線通信モジュール３４、イヤマイクモジュール３６、スピーカ３８、マイクロフォン４０、音量調節部４２、録音処理部４４、データ組合せ部４６、音声認識部４８、メモリ５０、及び、制御部５２で構成される。
【００８６】
同図面において、上記キー入力部２０は、使用者の選択操作によって着信側の電話番号の登録及び音声入力モードの選択信号を発生するための手段であり、緊急状況信号を発生するようにするための特定の文章や単語を音声入力するためのキー信号発生と、音声認識を通じた自動セキュリティ信号を発生するキー信号の入力を受けてコード情報を作成する機能キーボタンをメニューキーに別途に備えている。
【００８７】
上記キー入力部２０は、#キーボタンと兼用として使用される登録キーボタン（図示省略）を通じて、緊急状況発生信号及び位置情報を組合せて特定のサーバのＵＲＬへ伝送するようにするために該当ＵＲＬを登録し、使用者の音声入力及び登録のためのボタン、緊急状況判断モードの選択信号のためのキーボタンを含んで構成される。
【００８８】
上記表示部２２は、上記キー入力部２０の機能操作の状態による特定のサーバのＵＲＬ登録状態、特定音声入力及び登録状態、セキュリティモード選択状態を実時間で使用者にディスプレイするために、各種のメッセージを可視的に表示するための、例えば液晶表示素子のような薄型の表示手段からなる。
【００８９】
同図面において、上記デュプレクサ２６は、上記アンテナ２４を通じて移動通信網の基地局と無線通信を行って送／受信される信号を分離するためのもので、内部に無線インターネットインターフェース２６ａが別途に備えられている。上記無線インターネットインターフェース２６ａは、無線インターネットの接続のためのデーモンとしてソフトウェア的に無線インターネット網を通じて既に設定されたＵＲＬの無線インターネットサーバ（例えば、ＷＡＰ  ｓｅｒｖｅｒ）に接続されるようにする手段である。
【００９０】
上記自動発信部２５は、既登録の電話番号に呼接続を行い、その呼接続の可否によって登録順次ごとに自動発信を行う手段である。
【００９１】
上記受信部２８は、上記アンテナ２４とデュプレクサ２６を通じて相手側のモバイルフォンや有線電話端末機、または移動通信交換機（未図示）からの音声信号または文字情報を受信することとなり、上記送信部３０は、上記マイクロフォン４０から入力された音声信号を送信可能にフィルタリング及び増幅処理することとなる。
【００９２】
また、上記音声処理部３２は、上記受信部２８を通じて受信した相手側からの音声信号を信号処理して、上記スピーカ３８を通じて出力されるようにし、上記マイクロフォン４０から入力される使用者の音声信号を信号処理して、上記送信部３０へ出力することとなる。
【００９３】
さらに、上記音声認識部４８は、内部に音声認識Ｓ／Ｗが搭載された状態で、ビタビ検索や、その他の音声学的なベクトルの距離分析を通じて、既登録された使用者の特定の単語または文章と、入力された音声に対する比較／判断を通じて既登録音声と入力された音声が一致するか否かを判断する手段である。
【００９４】
録音処理部４４は、音声通話網を通じて、緊急状況知らせ信号を伝送しようとするとき、緊急状況が発生した周辺の音声信号を伝送するために録音処理する手段である。
【００９５】
上記データ組合せ部４６は、緊急状況であるという制御部５２の制御信号が発生すると、メモリ５０に既登録された緊急状況信号と、位置情報を単一のデータパケットに組合せるための手段であり、そのデータ組合せ部４６は、上記送信部３０と接続されて組合せたデータパケットを上記無線データインターフェース２６ａを通じて既登録されたＵＲＬへ自動伝送できるようにする。また、音声通話網を通じて緊急状況知らせ信号を伝送しようとする場合には、位置情報を音声信号に変換された信号と緊急音声信号を組合せることとなる。
【００９６】
一方、上記メモリ５０は、緊急状況を認知するファクターである音声データを登録保存し、緊急状況を示すデータを保存し、端末機に内臓されたＧＰＳ検索部（未図示）を通じて端末機の現在の位置情報を実時間で更新して保存し、順次呼接続を行うための多数のモバイルフォンの電話番号が保存された手段である。
【００９７】
上記制御部５２は、上記キー入力部２０のキー操作により使用者の緊急状況を自動で発生させる特定の音声データをメモリに保存し、上記マイクを駆動させ、実時間で音声データの入力を受けて上記音声認識部４８から既登録された緊急状況音声データと比較して緊急状況であるか否かを判断し、緊急状況が発生したとき、緊急状況知らせ信号を既登録された電話番号の順番に従って自動発信して伝送するように制御する手段である。
【００９８】
この際、上記マイクロフォン４０とスピーカ３８は、内部に近距離無線通信モジュール（未図示）が内臓されたイヤマイクモジュール３６に構成され、上記ユーザーのモバイルフォンＡ１の内部にはイヤマイクモジュール３６に内臓された近距離無線通信モジュール（未図示）と通信するための、さらに他の近距離無線通信モジュール３４がさらに含まれている。
【００９９】
一方、上記イヤマイクモジュール３６には、緊急状況であるか否かによってスピーカとマイクの音量を既設定値に自動調節するための音量調節部４２がさらに備えられている。
【０１００】
図４は、本発明の第１実施例によるモバイルフォンを利用した知能型緊急信号伝送システムに含まれた緊急信号通報管理サーバの構成を図示したブロック構成図である。
【０１０１】
これを参照すると、本発明の第１実施例によるモバイルフォンを利用した知能型緊急信号伝送システムに含まれた緊急信号通報管理サーバＥＳＭＳは、その内部に、通信モジュール５４、加入者情報登録部５６、加入者データ処理部５８、緊急信号発生部６０、事件発生位置管理部６２、自動発信処理部６４、加入者情報ＤＢ６６ａ、加入者緊急信号ＤＢ６６ｂ、警察庁／セキュリティ業者登録ＤＢ６６ｃ、追加発信電話番号ＤＢ６６ｄ、加入者位置情報ＤＢ６６ｅ、出動情報ＤＢ６６ｆ、制御部６８に構成されている。
【０１０２】
より詳しく、上記通信モジュール５４は、ＷＡＰサーバ（未図示）を介した無線データ通信網を通じて上記ユーザーのモバイルフォンＡ１からサービス加入信号及び緊急状況発生信号と、位置信号の印加を受けて信号処理する手段である。
【０１０３】
また、上記加入者情報登録部５６は、上記ユーザーのモバイルフォンＡ１からサービス加入信号の印加を受けて該当加入者の身元情報及び電話番号の情報を登録する手段であり、上記加入者データ処理部５８は、上記ユーザーのモバイルフォンＡ１から伝送された緊急状況発生信号と、位置信号の印加を受けて各データ別に分類して処理する手段である。
【０１０４】
さらに、上記緊急信号発生部６０は、上記加入者情報登録部５６と連携されて加入者の緊急状況発生信号を受け付けて、どの加入者であるかを把握して管理する手段であり、上記事件発生位置管理部６２は、上記加入者データ処理部５８と連携されて加入者の緊急状況発生信号が発生した位置情報を警察庁のサーバ及びセキュリティ業者のサーバへ伝送するために管理する手段である。
【０１０５】
上記自動発信処理部６４は、緊急状況知らせ信号を伝送しようとして予めユーザーのモバイルフォンＡ１に登録した電話番号に順次に自動発信処理を行う手段であり、ある一つの電話番号に一定時間の間呼接続信号を発生させ呼接続が繋がらないと、次の順番の電話番号に呼接続信号を自動で発生させる。
【０１０６】
上記加入者情報ＤＢ６６ａは、該当加入者の身元情報及び電話番号情報を保存するＤＢであり、上記加入者緊急信号ＤＢ６６ｂは、緊急状況を発生させた加入者情報を保存するＤＢであり、上記警察庁／セキュリティ業者登録ＤＢ６６ｃは、警察庁及びセキュリティ業者情報及びサーバのＵＲＬ情報などが保存されたＤＢである。
【０１０７】
追加発信電話番号ＤＢ６６ｄは、自動発信処理を行う対象電話番号を保存し、その呼接続実行の有無に対する情報を保存するためのＤＢである。
【０１０８】
また、上記加入者位置情報ＤＢ６６ｅは、緊急状況発生位置データを保存するＤＢであり、上記出動情報ＤＢ６６ｆは、加入者の緊急状況通報の際に上記警察庁及びセキュリティ業者の出動情報を保存するＤＢである。
【０１０９】
一方、上記制御部６８は、上記ユーザーのモバイルフォンＡ１から緊急状況発生信号及び位置情報の印加を受けて該当情報を保存し、その情報をデータ通信網に連携された警察庁のサーバＰＳまたはセキュリティ業者のサーバＳＳ、既登録の電話番号を有するモバイルフォンＢ１〜Ｂｎに該当ユーザーの情報及び緊急状況発生信号、位置情報を伝送処理する手段である。
【０１１０】
上記構成の本発明の第１実施例によるモバイルフォンを利用した知能型緊急信号伝送システムの機能と作用を添付の図面を参照して詳しく説明する。
【０１１１】
図５ａ、５ｂ、５ｃは、本発明の第１実施例によるモバイルフォンを利用した知能型緊急信号伝送システムの信号の流れを図示したフローチャートである。
【０１１２】
先ず、図５ａは、音声通話網を通じて緊急状況が発生したとき、上記ユーザーのモバイルフォンＡ１が直接、予め登録された電話番号のモバイルフォンＢ１〜Ｂｎに緊急状況知らせ信号を伝送処理する動作を示す図面であり、ユーザーは、上記ユーザーのモバイルフォンＡ１を通じて“助けてください”または“止めてください！”などの特定の音声データを緊急状況発生用として登録する。
【０１１３】
そして、着信者の端末機、即ち、既登録の電話番号を有するモバイルフォンＢ１〜Ｂｎの電話番号を呼接続の対象として登録する。
【０１１４】
その後、ユーザーがモバイルフォンＡ１を緊急状況判断モードに切り替えると、マイクロフォンが活性化されて音声の入力を受けるためのスタンバイ状態となる。その状態で、“助けてください”または“止めてください！”などの特定の音声データが入力されると、上記ユーザーのモバイルフォンＡ１は、音声認識を通じて入力された該当音声データが既登録の音声データであるかを比較して緊急状況であるか否かを判断する。
【０１１５】
もし、緊急状況であると判断された場合であれば、一定時間の間、現場の音声データを録音して緊急音声信号を作成し、現在の位置データとマッチングされた音声信号（例えば、緊急信号発生位置は江南駅２番出口の近所です。）を組合せて緊急状況知らせ信号を作成する。
【０１１６】
そして、ユーザーのモバイルフォンＡ１は、自動で予め登録された有線の電話器またはモバイルフォンＢ１〜Ｂｎに呼接続を行う。
【０１１７】
この際、ユーザーのモバイルフォンＡ１と既登録の電話番号のモバイルフォン（例えば、Ｂ１）の呼接続が繋がると、その緊急状況知らせ信号を伝送して、第３者がユーザーの緊急状況を認知するようにする。
【０１１８】
もし、上記ユーザーのモバイルフォンＡ１が既登録の電話番号を有するモバイルフォンＢ１〜Ｂｎへと一定時間の間呼接続を行ったが、呼接続が繋がらない応答不在の状態であると、次の順番に登録されたさらに他の電話番号に呼接続を行い、呼接続が繋がると、緊急状況知らせ信号を伝送するようにする。
【０１１９】
図５ｂは、データ通信網、特に、無線データ通信網を通じてユーザーのモバイルフォンＡ１が緊急状況発生信号を発生させ、その緊急状況発生信号を緊急信号通報管理サーバＥＳＭＳが中継して、特定のサーバまたは特定電話番号のモバイルフォンＢ１〜Ｂｎに緊急状況発生の知らせ信号を伝送するようにした流れの図面である。
【０１２０】
上記ユーザーのモバイルフォンＡ１の内部に特定遠隔サーバの緊急信号通報管理サーバＥＳＭＳのＵＲＬが既登録されていて、緊急信号が発生したとき、自動で緊急状況信号を遠隔の緊急信号通報管理サーバＥＳＭＳに発生させる。
【０１２１】
また、常に、このようなユーザーのモバイルフォンＡ１が緊急信号判断モードに設定されていると、過度なバッテリーの消耗が発生し、危険状況が主に夜間に発生するという点を踏まえると、普段は、一般モードに設定されているようにし、退勤のときや夜間に移動するときに緊急信号判断モードに予めユーザーが設定するようにすることが好ましい。これは、サーバの構成が必要ない音声通話網を通じた緊急状況知らせ信号を伝送する方式でも同様である。
【０１２２】
従って、ユーザーが緊急状況信号発生用音声をモバイルフォンＡ１に登録した状態で、緊急信号判断モードに切り替えると、その時点から上記モバイルフォンＡ１はマイクが活性化されるとともに、音声データの入力を受けることとなる。
【０１２３】
音声データが入力されると、モバイルフォンＡ１は、その内部に搭載された音声認識Ｓ／Ｗを駆動させ、既登録の緊急状況信号発生用音声データと、入力された音声データとを比較して一致するかを判断し、一致するとき、上記モバイルフォンＡ１は現位置をＧＰＳ方式にて判断し、緊急状況発生信号とユーザーの写真データを組合せてデータパケットを構成する。
【０１２４】
そして、上記モバイルフォンＡ１は、自動で無線インターネット網を活性化させ、既登録されたＵＲＬの上記緊急信号通報管理サーバＥＳＭＳに緊急状況発生信号及び位置情報を伝送する。
【０１２５】
そうすると、上記緊急信号通報管理サーバＥＳＭＳは、ユーザーのモバイルフォンＡ１から緊急状況発生信号及び位置情報の印加を受けてデータ通信網に連携された警察庁のサーバＰＳまたはセキュリティ業者のサーバＳＳに該当ユーザーの情報及び緊急状況発生信号、位置情報を伝送することで、現場出動ができるようにする。また、上記緊急信号通報管理サーバＥＳＭＳは、ユーザーが既登録した特定の電話番号のモバイルフォンＢ１〜Ｂｎに該当ユーザーの情報及び緊急状況発生信号、位置情報を伝送することで、該当ユーザーが危険におかれていることを実時間で知らせるようにする。
【０１２６】
この際、上記緊急信号通報管理サーバＥＳＭＳは、既登録の電話番号を有するモバイルフォンＢ１〜Ｂｎへと一定時間の間呼接続を行ったが、呼接続がつながらない応答不在の状態であると、次の順番に登録されたさらに他の電話番号に呼接続を行い、呼接続が繋がると、緊急状況知らせ信号を伝送するようにする。
【０１２７】
図５ｃは、上記ユーザーのモバイルフォンＡ１に搭載された音量自動調節機能について説明し、本発明の第１実施例によるモバイルフォンを利用した知能型緊急信号伝送システムは、緊急状況が発生した時点からユーザーが特別な行動をしなくてもユーザーのモバイルフォンＡ１が自動で緊急状況であることを遠隔地に知らせるためのシステムである。
【０１２８】
従って、脅されたり、緊急状況におかれたりしたユーザーがモバイルフォンＡ１を通じて緊急信号を第３者に知らせることを強盗や脅迫者または拉致犯が認知してはいけない。
【０１２９】
また、ユーザーのモバイルフォンＡ１が既登録の電話番号を有するモバイルフォンＢ１〜Ｂｎと音声通話網に呼接続された状態であれば、ユーザーのモバイルフォンＡ１のスピーカを通じて相手の音声信号が出力されると、強盗や脅迫者または拉致犯が通話が繋がっていることを認知することができるため、これに対する対策が必要である。
【０１３０】
このため、本発明のユーザーのモバイルフォンＡ１は、緊急信号が発生してマイクロフォンが活性化されるようになると、音声信号の入力が円滑に行われるように、自動でマイクロフォンの音量を最大に調節する。
【０１３１】
また、本発明のユーザーのモバイルフォンＡ１は、緊急信号が発生して第３者のモバイルフォンＢ１〜Ｂｎと呼接続がつながると、ユーザーのモバイルフォンＡ１のスピーカを通じて第３者の音声信号が出力されないように、自動でスピーカの音量を最小に調節する。
【０１３２】
そして、ユーザーのモバイルフォンＡ１は、緊急状況が解除されたかを判断して、緊急状況が解除された場合であると、既存に設定されたマイクロフォン及びスピーカの音量を復帰させる。
【０１３３】
以下、本発明の第２実施例によるモバイルフォンを利用した知能型緊急信号伝送システムについて図面を参照して詳しく説明する。
【０１３４】
図６は、本発明の第２実施例によるモバイルフォンを利用した知能型緊急信号伝送システムの多重位置判断のための構成を図示した図面で、図７は、本発明の第２実施例によるモバイルフォンを利用した知能型緊急信号伝送システムの多重位置判断状態を示す図面である。
【０１３５】
これを参照すると、本発明の第２実施例によるモバイルフォンを利用した知能型緊急信号伝送システムは、緊急信号を自動通報することのできるモバイルフォンの位置判断について、ＧＰＳ衛星座標値と基地局の位置または使用者指定の移動経路情報、使用者指定の現在の位置情報を複合的に活用して各要素の短所を解消することで、正確な位置情報を抽出できるようにしたシステムである。
【０１３６】
通常、ユーザーのモバイルフォンＡ１に対する位置情報を抽出する方式としては、ＧＰＳ方式と基地局の位置を利用した算出方式とに分けられ、最近のアイフォンやグーグルフォンは、基本的にＧＰＳ方式の位置算定方式であるが、ＧＰＳ方式の場合、電波の遮蔽が行われる建物の内部や、トンネルの中などでは、衛星からの位置値の伝送を受けることができないため、位置の算定が不可能であり、基地局を通じた位置算定方式は、建物の内部やトンネルの中でも位置算定は可能であるものの、どの基地局の電波領域内に位置しているか程度の位置値しか算出することができないため、精密な位置算定は不可能であった。
【０１３７】
従って、本発明の第２実施例によるモバイルフォンを利用した知能型緊急信号伝送システムは、緊急状況が発生した現場の位置を、エラー率が低いながらも、より精密に算出するために、基地局を通じた位置情報算出方式またはＧＰＳ位置算出方式、または移動経路の登録を通じた位置情報算出方式、または現在位置登録を通じた位置情報算出方式のうち、いずれか２つ以上の位置情報算出方式を多重に利用して緊急状況が発生した位置を判断する機能が含まれている。
【０１３８】
基地局を通じた位置情報算出方式またはＧＰＳ位置算出方式は、公知の技術であるため詳しい説明は省略し、先ず、経路登録を通じた位置情報算出方式について説明する。
【０１３９】
経路登録を通じた位置情報算出方式は、ユーザーがユーザーのモバイルフォンＡ１に予め移動経路を登録し、基地局を通じた位置情報算出方式またはＧＰＳ位置算出方式のうちいずれか一つの方式をさらに追加して位置を算定する方式である。
【０１４０】
例えば、ユーザーがユーザーのモバイルフォンＡ１を利用して移動経路を“００学校−００塾−地下鉄２号線の江南駅−地下鉄２号線の舍堂駅経由−地下鉄４号線の凡溪駅−００マンション”と予め登録した状態で、実時間でＧＰＳ位置算出方式とともに位置を算定する場合は、地下鉄に搭乗した状況であるとＧＰＳ信号を受信することができないが、ユーザーが予め指定した経路に従って緊急信号が発生した時間のごろには、どの経路上くらいに位置しているかを判断することができる。
【０１４１】
また、経路を指定した全ての地名の場合には、住所情報を登録することで、緊急信号が発生すると速やかに該当の住所に出動することができる。
【０１４２】
もし、経路登録を通じた位置情報算出方式と基地局位置算定方式を多重に利用して緊急信号が発生した位置を算定する場合であれば、同様にユーザーがユーザーのモバイルフォンＡ１を利用して移動経路をモバイルフォンＡ１に登録した状態で、移動通信サーバ（未図示）からユーザーのモバイルフォンＡ１が位置した基地局の位置情報の受信を受け、登録された全体の移動経路上の中で、現在どの経路に位置しているかを判断することができる。これを通じて、単純に基地局位置を通じた位置算定より精密にユーザーのモバイルフォンＡ１の位置を算定することができる。
【０１４３】
また、ユーザーがアパートやマンション、塾など長時間移動せずに、一ヶ所に留まる場合、該当位置を手動でモバイルフォンＡ１に登録してＧＰＳ方式や基地局位置算定方式をさらに組合せることで、同様に精密な位置を算定することができる。
【０１４４】
従って、本発明の第２実施例によるモバイルフォンを利用した知能型緊急信号伝送システムに含まれたユーザーのモバイルフォンＡ１には、キー入力部２０を通じて登録した移動経路情報を管理するための経路設定部７０が備えられていて、長時間現在位置から移動しない場合、現在位置を設定するための手動位置設定部７２が備えられる。
【０１４５】
また、本発明の第２実施例によるモバイルフォンを利用した知能型緊急信号伝送システムに含まれたユーザーのモバイルフォンＡ１には、ＧＰＳ衛星から座標値を受信するための公知のＧＰＳ座標受信部７４が備えられていて、移動通信サーバ（未図示）から基地局の位置情報を受信するための基地局位置情報受信部７６が備えられている。
【０１４６】
以下、本発明の第３実施例によるモバイルフォンを利用した知能型緊急信号伝送システムについて図面を参照して詳しく説明する。
【０１４７】
図８は、本発明の第３実施例によるモバイルフォンを利用した知能型緊急信号伝送システムを通じて近所のモバイルフォンに緊急信号を伝送する状態を図示した図面である。
【０１４８】
これを参照すると、本発明の第３実施例によるモバイルフォンを利用した知能型緊急信号伝送システムは、緊急信号が発生したモバイルフォンの位置を基準点として、一定半径内に位置した第３者のモバイルフォンに緊急信号発生位置情報及び助け求め信号を伝送して周辺の人たちによる速やかな助けが行われるようにしたシステムである。
【０１４９】
即ち、本発明の第３実施例によるモバイルフォンを利用した知能型緊急信号伝送システムに含まれたユーザーのモバイルフォンＡ１は、緊急な状況で、自動で警察署やセキュリティ業者に緊急信号を発生して出動を要請するが、拉致や強盗事件の場合、出動に一定の時間がかかるため、遅い対処によりユーザーが危険におかれる恐れがある。
【０１５０】
従って、本発明の第３実施例によるモバイルフォンを利用した知能型緊急信号伝送システムは、該当ユーザーのモバイルフォンＡ１が位置した近所の位置に存在する第３者に助けを求めるための機能が付加される。
【０１５１】
このため、本発明の第３実施例によるモバイルフォンを利用した知能型緊急信号伝送システムには、緊急信号が発生したユーザーのモバイルフォンＡ１から位置信号の伝送を受けて移動通信サーバ（未図示）へ伝送し、その移動通信サーバから該当ユーザーのモバイルフォンＡ１の位置に該当する基地局の電波領域内に含まれた第３者のモバイルフォンＢ１〜Ｂｎの電話番号を抽出して該当第３者のモバイルフォンＢ１〜Ｂｎに緊急信号及び該当ユーザーの写真情報を伝送するための緊急信号通報管理サーバＥＳＭＳが提供される。
【０１５２】
即ち、図８に図示された通り、上記緊急信号通報管理サーバＥＳＭＳは、特定のユーザーのモバイルフォンＡ１から緊急信号及び位置信号を受信すると、該当モバイルフォンＡ１の近所に位置した第３者のモバイルフォン（例えば、Ｃ１〜Ｃ９）に緊急信号及び該当ユーザーの写真情報を伝送してユーザーを助けることができるようにする。
【０１５３】
このために、本発明の第３実施例によるモバイルフォンを利用した知能型緊急信号伝送システムには、既に設定された特定の音声データに対する音声認識を通じて緊急状況であるか否かを判断することができる音声認識Ｓ／Ｗが搭載されていて、緊急状況であると判断した時、緊急状況知らせ信号を予め登録された多数の電話番号を有するモバイルフォンに音声通話網を通じて呼接続の可否を判断しながら順次に呼接続を行い、呼接続が繋がると、組合せた信号を伝送するユーザーのモバイルフォンＡ１と、多数のユーザーの情報及び該当ユーザーが既登録した電話番号情報を登録した状態で、上記モバイルフォンＡ１から緊急状況知らせ信号の印加を受けてデータ通信網に連携された移動通信サーバ（未図示）へモバイルフォンＡ１の電話番号を伝送し、その移動通信サーバから該当モバイルフォンＡ１が含まれた基地局の領域内に位置した多数のモバイルフォンＣ１〜Ｃｎの電話番号情報を受信して緊急状況にあるユーザーの情報及び緊急状況知らせ信号を伝送処理する緊急信号通報管理サーバＥＳＭＳと、上記緊急信号通報管理サーバＥＳＭＳから緊急状況信号が発生したモバイルフォンＡ１の情報を受信し、該当ユーザーのモバイルフォンＡ１を中心として一定半径以内に位置した多数のモバイルフォンＣ１〜Ｃｎの電話番号情報を探索して緊急信号通報管理サーバへ伝送する移動通信サーバと、上記緊急信号通報管理サーバＥＳＭＳから緊急状況知らせ信号の印加を受ける既登録の電話番号を有するモバイルフォンＣ１〜Ｃｎと、に構成される。
【０１５４】
上記構成の本発明の第３実施例によるモバイルフォンを利用した知能型緊急信号伝送システムの機能と作用を添付の図面を参照して詳しく説明する。
【０１５５】
図９は、本発明の第３実施例によるモバイルフォンを利用した知能型緊急信号伝送システムの信号の流れを図示したフローチャートである。
【０１５６】
先ず、本発明の第３実施例によるモバイルフォンを利用した知能型緊急信号伝送システムに含まれた緊急信号通報管理サーバＥＳＭＳがユーザーのモバイルフォンＡ１から緊急信号を受信する。
【０１５７】
そうすると、上記緊急信号通報管理サーバＥＳＭＳは、緊急信号発生位置情報またはモバイルフォンＡ１の電話番号情報を移動通信サーバ（未図示）へ伝送する。
【０１５８】
そうすると、上記移動通信サーバは、該当モバイルフォンＡ１の位置を基準として一定半径以内のモバイルフォンＣ１〜Ｃｎの電話番号を抽出する。
【０１５９】
そして、その移動通信サーバは、近所に位置したモバイルフォンＣ１〜Ｃｎの電話番号を緊急信号通報管理サーバＥＳＭＳへ伝送する。
【０１６０】
これを通じて、上記緊急信号通報管理サーバＥＳＭＳは、近所に位置したモバイルフォンＣ１〜Ｃｎの電話番号に緊急状況が発生した位置情報と緊急信号及び助け求め信号を伝送する。
【０１６１】
この際、上記移動通信サーバは、多数の基地局から伝送されるモバイルフォンＣ１〜Ｃｎの位置情報を通じて、ユーザーのモバイルフォンＡ１の近所に位置したモバイルフォンＣ１〜Ｃｎに対する存在の有無及び電話番号情報を探索する。
【０１６２】
また、上記緊急信号通報管理サーバＥＳＭＳは、近所に位置したモバイルフォンＣ１〜Ｃｎの電話番号へ伝送する緊急信号及び助け求め信号は、文字メッセージや音声メッセージ、または写真情報を含むＭＭＳファイルである。
【０１６３】
一方、本発明の実施例によるモバイルフォンを利用した知能型緊急信号伝送システム及びその方法は、上記の実施例に限られるものではなく、その技術的な要素を外れない範囲内で多様な変更が可能である。
【符号の説明】
【０１６４】
Ａ１  ユーザーのモバイルフォン
Ｂ１〜Ｂｎ  既登録の電話番号のモバイルフォン
Ｃ１〜Ｃｎ  近所に位置するモバイルフォン
ＰＳ  警察庁のサーバ
ＳＳ  セキュリティ業者のサーバ
ＥＳＭＳ  緊急信号通報管理サーバ
【図１】
2013518501.tif 000003
【図２】
2013518501.tif 000004
【図３】
2013518501.tif 000005
【図４】
2013518501.tif 000006
【図５ａ】
2013518501.tif 000007
【図５ｂ】
2013518501.tif 000008
【図５ｃ】
2013518501.tif 000009
【図６】
2013518501.tif 000010
【図７】
2013518501.tif 000011
【図８】
2013518501.tif 000012
【図９】
2013518501.tif 000013
【国際調査報告】
2013518501.tif 000014
2013518501.tif 000015
2013518501.tif 000016
2013518501.tif 000017
2013518501.tif 000018
2013518501.tif 000019